【手続補正書】
【提出日】平成18年11月1日(2006.11.1)
【手続補正１】
【補正対象書類名】明細書
【補正対象項目名】特許請求の範囲
【補正方法】変更
【補正の内容】
【特許請求の範囲】
【請求項１】  ステント移植片(10)であって、
外周およびその内側の内腔(30)を限定する外周壁(26)を有し、上記内腔(30)が第１端部(20)と第２端部(22)の間に軸方向に延在する管状移植片(12)と、
複数の独立の曲がりくねった要素からなり、上記外周壁(26)の中間部分に取り付けられる外側骨格であって、上記各曲がりくねった要素(14)は、上記外周壁(26)の少なくとも一部に沿って周方向にも軸方向にも延び、上記管状移植片(12)の隣接する曲がりくねった要素(14)間での関節運動を提供すべく上記外周壁(26)に沿って軸方向に互いに位相を揃えて分布させられるとともに、上記内腔を実質上開いた状態に保持するための拡張状態に偏らせられ、また、体内通路内への導入を容易にするための収縮状態に束縛されうるような外側骨格(14)と、
上記第１端部(20)を体内通路内に実質上アンカリングするために、第１端部(20)に取りつけられたステント(16)とを備えたステント移植片。
【請求項２】  請求項１に記載のステント移植片(10)において、上記各曲がりくねった要素(14)は、上記管状移植片(12)の外周壁(26)の周りに実質上周方向に延びるジグザグな構造からなるステント移植片。
【請求項３】  請求項１に記載のステント移植片(110)において、上記各曲がりくねった要素(132)は、上記外周壁(126)に沿って実質上軸方向に延びる概ね正弦曲線の形状を限定するステント移植片。
【請求項４】  請求項３に記載のステント移植片(110)において、上記複数の曲がりくねった要素(132)は、上記外周壁(126)の外周の周りに実質上均一に分布されているステント移植片。
【請求項５】  請求項３に記載のステント移植片(110)において、上記各曲がりくねった要素(132)は、実質上横方向の外周要素(134)を有し、隣接するこれらの外周要素(134)は、交互に湾曲する湾曲要素(136)によって連結され、これによって概ね正弦曲線の形状を限定するステント移植片。
【請求項６】  請求項１に記載のステント移植片(10)において、上記管状移植片(12)は、ポリマー材料からなるステント移植片。
【請求項７】  請求項１に記載のステント移植片(10)において、上記ポリマー材料は、ポリエステル、ポリテトラフルオロエタリン、ダクロン、テフロンおよびポリウレタンの群から選ばれるステント移植片。
【請求項８】  請求項１に記載のステント移植片(10)において、上記外側骨格(14)は、縫い合わせ、ステープル、ワイヤまたは接着剤によって上記管状移植片(12)に取り付けられるステント移植片。
【請求項９】  請求項１に記載のステント移植片において、上記外側骨格(14)は、熱接合、化学的接合および超音波接合のうちから選ばれる処理によって上記管状移植片(12)に取り付けられるステント移植片。
【請求項１０】  請求項１に記載のステント移植片において、上記各曲がりくねった要素(14)は、曲がりくねった形状に形成されたワイヤからなるステント移植片。
【請求項１１】  請求項１に記載のステント移植片において、上記第１端部のステントは、巻かれたシートステントからなるステント移植片。
【請求項１２】  請求項１に記載のステント移植片(10)において、上記ステント(16,18)は、体内通路の壁に噛み込むための外側に向けられた外側フックを備えるステント移植片。
【請求項１３】  請求項１に記載のステント移植片(10)において、少なくとも上記ステント(16,18)または上記管状移植片(12)の第１端部(20)および第２端部(22)のいずれかの外面上の血液凝固性の物質を更に備えたステント移植片。
【請求項１４】  請求項１に記載のステント移植片(210)において、上記管状移植片(212)の第１端部(220)は、上記管状移植片(212)の第２端部(222)の断面よりも実質上小さい断面を有するステント移植片。
【請求項１５】  請求項１に記載のステント移植片(10)において、上記外側骨格(14)は、上記管状移植片(12)の外面に取り付けられるステント移植片。
【請求項１６】  ステント移植片であって、
外周およびその内側の内腔を限定する外周壁を有し、上記内腔が第１端部と第２端部の間に軸方向に延在する管状移植片と、
上記外周壁に取り付けられ、隣接する曲がりくねった要素相互間での管状移植片の関節運動を提供すべく、上記外周壁に沿って軸方向に所定の形状で互いに位相を揃えて分布させられ、各曲がりくねった要素が上記管状移植片の外周壁の周りに実質上周方向に延びるジグザグな形状を限定する複数の曲がりくねった要素を備え、各曲がりくねった要素は、上記内腔を実質上開いた状態に保持するための拡張状態に偏らせられ、また、体内通路内への導入を容易にするための収縮状態に束縛されうるステント移植片。
【請求項１７】  請求項１６に記載のステント移植片において、上記第１端部および第２端部の少なくともいずれかにステントを更に備えたステント移植片。
【請求項１８】  請求項１７に記載のステント移植片において、上記ステント(16,18)は、半径方向の圧縮力を受けたときに、部分的に巻き戻るようになっている複数の弾性的なメッシュ要素(420)からなるステント移植片。
【請求項１９】  請求項１８に記載のステント移植片において、上記ステント(16,18)の全体は、弾性的なメッシュ要素(420)からなるステント移植片。
【請求項２０】  請求項１７に記載のステント移植片において、上記ステントは、上記管状移植片の内腔に実質上位置する巻かれたシートステントからなるステント移植片。
【請求項２１】  請求項２０に記載のステント移植片において、上記巻かれたシートステントは、巻かれたシートステントが半径方向の圧縮力を受けたときに、部分的に巻き戻るようになっている複数の弾性的なメッシュ要素によって限定される引き伸ばせる部分(512,616)を有するステント移植片。
【請求項２２】  請求項２１に記載のステントにおいて、上記引き伸ばせる部分(512)は、上記巻かれたシートステントの第１端部と第２端部の間に軸方向に延在するステント移植片。
【請求項２３】  請求項２１に記載のステントにおいて、上記引き伸ばせる部分(616)は、上記管状移植片の各端部を越えて露出する巻かれたシートステントの端部上のスリーブからなるステント移植片。
【請求項２４】  請求項１６に記載のステント移植片において、上記複数の曲がりくねった要素は、上記外周壁に個々に取り付けられているステント移植片。
【請求項２５】  請求項１６に記載のステント移植片(310)において、上記管状移植片は、分岐させられおり、上記ステント移植片(310)は、
上記第２端部(340)から延び出すとともに、外周壁(328)を有する管状移植片延長セグメント(314)と、
隣接する曲がりくねった要素(334)相互間での上記管状移植片延長セグメント(314)の関節運動を提供すべく、上記管状移植片延長セグメント(314)の外周壁(328)に沿って所定の形状で分布させられてこの管状移植片延長セグメントに個々に取り付けられる複数の曲がりくねった要素(334)とを更に備えたステント移植片。
【請求項２６】  請求項２５に記載のステント移植片(310)において、
外周壁(348)を有するとともに、上記管状移植片延長セグメントに隣接する上記管状移植片の第２端部に取り付けられうる管状移植片連結リム(316)を更に備えたステント移植片。
【請求項２７】  分岐管内に取り付けられるステント移植片であって、
第１端部と第２分岐端部を有し、第１外周壁を有する第１管状移植片セグメントと、
上記第２分岐端部から延び出し、第２外周壁を有する第２管状移植片セグメントと、
複数の独立の曲がりくねった要素からなり、上記第１外周壁および第２外周壁の少なくとも一方に取り付けられる外側骨格であって、上記各曲がりくねった要素は、取り付けられた夫々の外周壁の少なくとも一部に沿って周方向にも軸方向にも延び、隣接する曲がりくねった要素間での上記管状移植片の関節運動を提供すべく外周壁に沿って軸方向に互いに位相を揃えて分布させられるとともに、上記内腔を実質上開いた状態に保持するための拡張状態に偏らせられ、また、体内通路内への導入を容易にするための収縮状態に束縛されうるような外側骨格とを備えたステント移植片。
【請求項２８】  請求項２７に記載のステント移植片において、上記第１端部(344)を人体通路内に実質上アンカリングするためのステントをこの第１端部に更に備えたステント移植片。
【請求項２９】  請求項２７に記載のステント移植片において、上記第１管状移植片セグメントの第２分岐端部と反対側の第２管状移植片セグメントに、ステントを更に備えたステント移植片。
【請求項３０】  請求項２７に記載のステント移植片において、第３外周壁を有し、上記第２管状移植片セグメントの第２分岐端部の近傍に取り付けられうる第３管状移植片セグメントを更に備えたステント移植片。
【請求項３１】  請求項３０に記載のステント移植片において、上記外側骨格は、上記第３外周壁に取り付けられる１つ以上の曲がりくねった要素を備えるステント移植片。
【請求項３２】  請求項２７に記載のステント移植片において、上記複数の曲がりくねった要素は、個々に各外周壁に取り付けられるステント移植片。
【請求項３３】  ステント移植片であって、
外周およびその内側の内腔を限定する外周壁を有し、上記内腔が第１端部と第２端部の間に軸方向に延在する管状移植片と、
上記外周壁に取り付けられ、隣接する曲がりくねった要素相互間での管状移植片の関節運動を提供すべく、上記外周壁に沿って軸方向に所定の形状で互いに位相を揃えて分布させられ、各曲がりくねった要素が上記管状移植片の外周壁の周りに実質上周方向に延びるジグザグな形状を限定する複数の曲がりくねった要素と、
上記第１端部および第２端部を人体通路内に実質上アンカリングするために上記管状移植片の第１端部および第２端部に夫々固定されるステントとを備えたステント移植片。
【請求項３４】  請求項３３に記載のステント移植片において、上記ステントは、巻かれたシートステントからなるステント移植片。
【請求項３５】  請求項３３に記載のステント移植片において、各曲がりくねった要素は、ワイヤの単一ストランドからなるステント移植片。
【請求項３６】  請求項３５に記載のステント移植片において、上記各ワイヤの単一ストランドは、縫い合わせによって上記管状移植片に取り付けられているステント移植片。
【請求項３７】  ステント移植片であって、
外周およびその内側の内腔を限定する外周壁を有し、上記内腔が第１端部と第２端部の間に軸方向に延在する管状移植片と、
上記管状移植片の中間部に取り付けられ、隣接する曲がりくねった要素相互間での管状移植片の関節運動を提供すべく、上記中間部に沿って軸方向に所定の形状で分布させられ、各曲がりくねった要素が上記管状移植片の外周壁の周りに実質上周方向に延びるジグザグな形状を限定するとともに、上記内腔を実質上開いた状態に保持するための拡張状態に偏らせられ、また、体内通路内への導入を容易にするための収縮状態に束縛されうる複数の曲がりくねった要素と、
上記第１端部および第２端部を人体通路内に実質上アンカリングするために上記管状移植片の第１端部および第２端部に夫々固定されるステントとを備えたステント移植片。
【請求項３８】  請求項３７に記載のステント移植片において、上記ステントは、巻かれたシートステントからなるステント移植片。
【請求項３９】  請求項３７に記載のステント移植片において、各曲がりくねった要素は、ワイヤの単一ストランドからなるステント移植片。
【請求項４０】  請求項３９に記載のステント移植片において、上記各ワイヤの単一ストランドは、縫い合わせによって上記管状移植片に取り付けられているステント移植片。